(57)【要約】【課題】什器の設置位置の変更の困難性を抑制することができること。【解決手段】設置位置確認方法は、屋内の什器の設置位置確認方法である。設置位置確認方法は、什器が設置される屋内の床面又は壁面に、什器の設置位置の目印を、紫外線ライトで発光する蛍光塗料を用いて設定する目印設定ステップＳＴ１と、什器の設置位置を確認する際は、紫外線ライトで目印を発光させる設置位置確認ステップＳＴ２と、を備える。蛍光塗料は、可視光では透明または半透明である。設置位置確認ステップＳＴ２では、目印に基づいて什器の位置を変更する。【選択図】図４
2019190015.tif 000002
【特許請求の範囲】
【請求項１】
屋内の什器の設置位置確認方法であって、
該什器が設置される屋内の床面又は壁面に、該什器の設置位置の目印を、紫外線ライトで発光する蛍光塗料を用いて設定する目印設定ステップと、
該什器の設置位置を確認する際は、紫外線ライトで該目印を発光させる設置位置確認ステップと、を備える什器の設置位置確認方法。
【請求項２】
該蛍光塗料は、可視光では透明または半透明である請求項１に記載の什器の設置位置確認方法。
【請求項３】
該設置位置確認ステップでは、該目印に基づいて該什器の位置を変更する請求項１または請求項２に記載の什器の設置位置確認方法。
【請求項４】
該目印設定ステップでは、屋内に固定された照明設備の照明光が届かない領域で該目印を設定する請求項１乃至請求項３のいずれか１項に記載の什器の設置位置確認方法。
【請求項５】
屋内の床面上に設置される床材であって、
蛍光塗料が塗布されて形成されかつ屋内の什器の設置位置を示す目印を備える床材。
【発明の詳細な説明】
【技術分野】
【０００１】
本発明は、什器の設置位置確認方法及び床材に関する。
【背景技術】
【０００２】
オフィスや会議室などの屋内では、机や椅子等の各種の什器の設置位置が随時変更される、即ち各種の什器のレイアウト変更が随時行われている。例えば、会議室などは、会議の目的によって什器のレイアウトが大きく異なり、短時間で多くの椅子や机のレイアウト変更が必要になることもある（例えば、特許文献１参照）。
【先行技術文献】
【特許文献】
【０００３】
【特許文献１】特開昭６３−１７１９５２号公報
【発明の概要】
【発明が解決しようとする課題】
【０００４】
通常、特許文献１等に示された床材は、目印などを設ければ、レイアウト変更を容易に行うことができる。しかしながら、床材は、目印によって外観が損なわれるため、来客のある会議室などでは目印を設置出来ない。また、床下や天井裏などは、照明光が届かないため、定期的にメンテナンスしたりする什器（設備）を見つけるのが難しいという課題がある。
【０００５】
本発明は、かかる問題点に鑑みてなされたものであり、その目的は、什器の設置位置の変更の困難性を抑制することができる什器の設置位置確認方法及び床材を提供することを目的とする。
【課題を解決するための手段】
【０００６】
上述した課題を解決し、目的を達成するために、本発明の什器の設置位置確認方法は、屋内の什器の設置位置確認方法であって、該什器が設置される屋内の床面又は壁面に、該什器の設置位置の目印を、紫外線ライトで発光する蛍光塗料を用いて設定する目印設定ステップと、該什器の設置位置を確認する際は、紫外線ライトで該目印を発光させる設置位置確認ステップと、を備えることを特徴とする。
【０００７】
前記什器の設置位置確認方法において、該蛍光塗料は、可視光では透明または半透明であっても良い。
【０００８】
前記什器の設置位置確認方法において、該設置位置確認ステップでは、該目印に基づいて該什器の位置を変更しても良い。
【０００９】
前記什器の設置位置確認方法において、該目印設定ステップでは、屋内に固定された照明設備の照明光が届かない領域で該目印を設定しても良い。
【００１０】
本発明の床材は、屋内の床面上に設置される床材であって蛍光塗料が塗布されて形成されかつ屋内の什器の設置位置を示す目印を備えることを特徴とする。
【発明の効果】
【００１１】
本願発明は、什器の設置位置の変更の困難性を抑制することができるという効果を奏する。
【図面の簡単な説明】
【００１２】
【図１】図１は、実施形態１に係る什器の設置位置確認方法の床面全体に敷かれた床材を示す平面図である。
【図２】図２は、図１に示された床面と床材の一部を示す斜視図である。
【図３】図３は、図１に示された床材を示す斜視図である。
【図４】図４は、実施形態１に係る什器の設置位置確報方法の流れを示すフローチャートである。
【図５】図５は、図４に示された什器の設置確認方法の設置位置確認ステップを示す説明図である。
【図６】図６は、図４に示された什器の設置確認方法の設置位置確認ステップ後の什器のレイアウトの一例を示す平面図である。
【図７】図７は、図４に示された什器の設置確認方法の設置位置確認ステップ後の什器のレイアウトの他の例を示す平面図である。
【図８】図８は、実施形態１の変形例に係る什器の設置位置確認方法の床面全体に敷かれた床材と床面の一部を示す斜視図である。
【発明を実施するための形態】
【００１３】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換または変更を行うことができる。
【００１４】
〔実施形態１〕
本発明の実施形態１に係る什器の設置位置確認方法及び床材を図面に基づいて説明する。図１は、実施形態１に係る什器の設置位置確認方法の床面全体に敷かれた床材を示す平面図である。図２は、図１に示された床面と床材の一部を示す斜視図である。図３は、図１に示された床材を示す斜視図である。図４は、実施形態１に係る什器の設置位置確報方法の流れを示すフローチャートである。
【００１５】
実施形態１に係る什器の設置位置確認方法は、建造物の屋内２内の什器３の設置位置を確認し易くする方法であって、什器３を所望の位置に設置し易くする方法である。なお、実施形態１では、什器３として、屋内２に設置されるテーブル３１及び椅子３２を示しているが、本発明では、什器３は、テーブル３１及び椅子３２を始めとした各種の家具、小型の雑貨を示している。また、本発明では、什器３は、屋内２の天井裏又は床下に設置される各種の配線、及び配管設備も含む。
【００１６】
実施形態１に係る什器の設置位置確認方法は、図１及び図２に示すように、屋内２の床面４に敷き詰められる床材５に目印６を設定する。実施形態１において、床材５は、図３に示すように、所定の大きさでかつ所定の平面形状に形成されて、複数の床材５が、床面４上に設置される。実施形態１において、床材５は、平面形状が四角形に形成されている。また、実施形態１において、床材５は、カーペットであるが、本発明では、カーペットに限定されることなく、フローリング、クッションフロア、石材、タイル、又は畳であっても良い。
【００１７】
床材５は、図３に示すように、什器３の設置位置を確認することを可能とする所定位置に、屋内２の什器３の設置位置を示す目印６が設定されている。床面４に敷き詰められる複数の床材５は、目印６が設定された位置が互いに等しくても良く、目印６が設定された位置が互いに異なっても良い。実施形態１において、目印６は、床材５の表面５１の一部分に蛍光塗料６１が塗布されて形成される。
【００１８】
実施形態１では、蛍光塗料６１は、可視光では透明又は半透明であり、紫外線ライト１０１等から紫外線１００（図３等に示す）が照射されると、発光、発色する蛍光物質（蛍光染料又は蛍光顔料）を含んだものである。目印６は、蛍光塗料６１が塗布され、蛍光塗料６１が乾燥することにより、蛍光物質を床材５の表面５１に定着させる。なお、実施形態１では、目印６の形状は、直線状に形成されているが、直線状に限らず種々の形状でも良い。また、実施形態１では、目印６は、製造後に床材５が床面４上に設置された後、又は床材５が床面４上に設置される際に、蛍光塗料６１により形成されるが、本発明では、床材５の製造時に形成されても良い。
【００１９】
実施形態１に係る什器の設置確認方法は、図４に示すように、目印設定ステップＳＴ１と、設置位置確認ステップＳＴ２とを備える。図５は、図４に示された什器の設置確認方法の設置位置確認ステップを示す説明図である。図６は、図４に示された什器の設置確認方法の設置位置確認ステップ後の什器のレイアウトの一例を示す平面図である。図７は、図４に示された什器の設置確認方法の設置位置確認ステップ後の什器のレイアウトの他の例を示す平面図である。
【００２０】
目印設定ステップＳＴ１は、什器３が設置される屋内２の床面４に、什器の設置位置の目印６を紫外線ライト１０１が照射する紫外線１００で発光する蛍光塗料６１を用いて設定するステップである。実施形態１では、目印設定ステップＳＴ１は、製造後に床材５が床面４上に設置された後、又は床材５が床面４上に設置される際に、床材５の表面５１の所定位置に蛍光塗料６１を塗布して、目印６を設定する。なお、製造後に床材５が床面４上に設置された後とは、床材５が床面４上に設置された直後、又は、什器３が設置される直前を含む。また、実施形態１において、目印設定ステップＳＴ１では、屋内２に固定された照明設備の照明光が届かない領域で、目印６を蛍光塗料６１で設定する。
【００２１】
設置位置確認ステップＳＴ２は、什器３の設置位置を確認する際であって、紫外線ライト１０１で目印６を発光させるステップである。実施形態１において、設置位置確認ステップＳＴ２では、床面４上に敷き付けられた床材５の表面５１全体に、図５に示すように、紫外線ライト１０１からの紫外線１００を照射する。紫外線１００が照射された目印６は、発光する。設置位置確認ステップＳＴ２では、発光した目印６に基づいて、什器３の位置を変更するとともに。什器３を所望の位置に設置する。
【００２２】
設置位置確認ステップＳＴ２では、例えば、屋内２において体験型講座（所謂ワークショップ：(workshop）を実施する際には、図６に示すように、テーブル３１を間隔をあけて配置し、各テーブル３１の全周に椅子３２を配置する。また、設置位置確認ステップＳＴ２では、例えば、屋内２においてセミナー（seminar）を実施する際には、図７に示すように、講師側から複数の列状にテーブル３１を配置し、各テーブル３１の外周に講師に対向する椅子３２を配置する。
【００２３】
以上説明したように、実施形態１に係る什器の設置位置確認方法は、目印設定ステップＳＴ１において、床面４に敷き詰められる床材５に蛍光塗料６１を用いて目印６を設定し、設置位置確認ステップＳＴ２において、目印６に紫外線１００を照射して、発光させる。このために、実施形態１に係る什器の設置位置確認方法は、発光した目印６を容易に認識することができるので、什器３の設置位置の変更の困難性を抑制することができる。
【００２４】
また、実施形態１に係る什器の設置位置確認方法は、目印６を蛍光塗料６１で設置して、蛍光塗料６１が可視光では透明又は半透明であるので、屋内２の通常の使用時には目印６が目立つことなく、美観を損ねることを抑制することができる。また、実施形態１に係る什器の設置位置確認方法は、目印６を蛍光塗料６１で設置しているので、什器の設置位置の変更時に紫外線ライト１０１を使う事で目印６を発見することで、什器３のレイアウト変更の手がかりになるため、外観と利便性を同時に満足することが出来るという効果を奏する。また、実施形態１に係る什器の設置位置確認方法は、目印６を蛍光塗料６１で設置しているので、目印６の設置も変更も容易という効果もある。
【００２５】
〔変形例〕
本発明の実施形態１の変形例に係る什器の設置位置確認方法を図面に基づいて説明する。図８は、実施形態１の変形例に係る什器の設置位置確認方法の床面全体に敷かれた床材と床面の一部を示す斜視図である。なお、図８は、実施形態１と同一部分に同一符号を付して説明を省略する。
【００２６】
実施形態１の変形例に係る什器の設置位置確認方法では、目印設定ステップＳＴ１において、図８に示すように、什器３が設置される屋内２の壁面７に目印６を設定すること以外、実施形態１と同じである。
【００２７】
実施形態１の変形例に係る什器の設置位置確認方法は、目印設定ステップＳＴ１において、壁面７に蛍光塗料６１を用いて目印６を設定し、設置位置確認ステップＳＴ２において、目印６に紫外線１００を照射して、発光させるので、実施形態１と同様に、発光した目印６を容易に認識することができるので、什器３の設置位置の変更の困難性を抑制することができる。
【００２８】
なお、本発明は、上記実施形態に限定されるものではない。即ち、本発明の骨子を逸脱しない範囲で種々変形して実施することができる。前述した実施形態１では、目印６を床面４上に設置される床材５に設定し、変形例では、目印６を壁面７に設定したが、本発明は、床下や天井裏に目印６を設定しても良い。目印６を床下や天井裏に設定する場合、目印設定ステップＳＴ１では、屋内２に固定された照明設備の照明光が届かない領域で、目印６を蛍光塗料６１で設定する。なお、床下や天井裏に目印６を設定した場合、実施形態１及び変形例の効果に加え、什器としての、床下や天上裏に設置される各種の配線及び配管設備の特定の箇所を容易に発見することができる。
【符号の説明】
【００２９】
２  屋内
３  什器
４  床面
５  床材
６  目印
６１  蛍光塗料
７  壁面
３１  テーブル（什器）
３２  椅子（什器）
１０１  紫外線ライト
ＳＴ１  目印設定ステップ
ＳＴ２  設置位置確認ステップ
【図１】
2019190015.tif 000003
【図２】
2019190015.tif 000004
【図３】
2019190015.tif 000005
【図４】
2019190015.tif 000006
【図５】
2019190015.tif 000007
【図６】
2019190015.tif 000008
【図７】
2019190015.tif 000009
【図８】
2019190015.tif 000010